(57)【要約】【課題】各種の支柱類に適用される地中における支柱の埋設構造を提供しようとするものである。【解決手段】地中に支柱を埋設するための構造であって、前記支柱下部に設置する筒状の埋設構造体には中間に複数のスリットを形成して該スリット間に帯片を形成し、かつ帯片の長さ方向のほぼ中央の片側ないし両側には切欠きが設けてあり、前記筒状の支柱に上下方向の負荷がかかることにより、前記帯片が長さ方向のほぼ中央で外向きに屈曲し、この外向きに広がった複数の帯片が地中内において筒状の埋設構造体を保持し、固定するようにしたことを特徴とする地中における支柱の埋設構造。【選択図】図４
2015040410.tif 000002
【特許請求の範囲】
【請求項１】
地中に支柱を埋設するための構造であって、
前記支柱下部に設置する筒状の埋設構造体には中間に複数のスリットを形成して該スリット間に帯片を形成し、かつ帯片の長さ方向のほぼ中央の片側ないし両側には切欠きが設けてあり、
前記筒状の支柱に上下方向の負荷がかかることにより、前記帯片が長さ方向のほぼ中央で外向きに屈曲し、この外向きに広がった複数の帯片が地中内において筒状の埋設構造体を保持し、固定するようにしたことを特徴とする地中における支柱の埋設構造。
【請求項２】
前記筒状の埋設構造体は、前記帯片が外向きに広がった状態において、前記帯片の内部にコンクリートを充填するようにしたことを特徴とする請求項１記載の地中における支柱の埋設構造。
【請求項３】
前記筒状の埋設構造体は、前記帯片の周囲を伸縮性のあるカバーで覆い、その上で前記帯片の内部にコンクリートを充填することにより、該コンクリートが前記帯片の外に漏れ出さないようにしたことを特徴とする請求項１または２記載の地中における支柱の埋設構造。
【請求項４】
前記筒状の埋設構造体は、前記帯片の幅方向に中央において、前記帯片に設けた切欠きに対応する位置に小孔を設けたことを特徴とする請求項１ないし３のいずれかに記載の地中における支柱の埋設構造。
【請求項５】
前記筒状の埋設構造体は、前記帯片の内部に打設したコンクリートを鉄筋を配筋して補強したことを特徴とする請求項２ないし４のいずれかに記載の地中における支柱の埋設構造。
【発明の詳細な説明】
【技術分野】
【０００１】
この発明は地中における支柱の埋設構造に関し、太陽光発電装置用の支柱のみならず、その他各種の支柱類に適用される地中における支柱の埋設構造の改良に関する。
【背景技術】
【０００２】
近年、太陽光発電装置が環境破壊のない代替エネルギー源として注目され、例えば、建物の屋根に設置される光景が多く見受けられるようになっている。
この太陽光発電装置を遊休地等の屋外に設置する態様としては、太陽電池パネルを地上に直接設置することが多かった。
しかしながらこの場合には、太陽電池パネルの設置領域が土地の有効利用を狭めてしまう、という不都合をもたらす。このような不都合は、例えば、特許文献１および２に示されているように、地上に支柱を立設し、当該支柱の上部に太陽電池パネルを支持させることで解消することができる。
【先行技術文献】
【特許文献】
【０００３】
【特許文献１】特開平８−８８３８９号公報
【特許文献２】特開２０１１−１０８８５４号公報
【発明の概要】
【発明が解決しようとする課題】
【０００４】
特許文献１に記載された太陽光発電装置は、太陽電池パネルを支持する支柱の下端部にブロックを設け、当該ブロックを地中に埋設して設置する構造となっている。
しかしながら、特許文献１記載の太陽光発電装置における設置構造は、ブロックを地中に埋設するだけの構造であって、ブロックの埋設強度自体を堅牢にする構成とはなっていない。
【０００５】
また、特許文献２に記載された太陽光発電装置の設置構造及び設置方法は、支柱と、支柱の下部に位置する埋設構造体と、この埋設構造体の上部と支柱の下部とを連結する締結具とを備え、前記埋設構造体は、少なくとも外周側がコンクリートを介して地中に埋設されたものである。
したがって、支柱と埋設構造体とが別体であり、両者が連結固定具を介して連結される構造であるため、それぞれの大きさを一体型よりも小さくでき、搬送時や設置時の取り扱いに伴う作業負担を軽減することができる。
しかしながら、外周側がコンクリートを介して地中に埋設されているとはいえ、地盤との連結はコンクリートのみで行われていて安定を欠くものであり、前記埋設構造体を長くしないと安定的に地中に設置することはできない。
【０００６】
この発明の目的は、太陽光発電装置を構成する太陽電池パネル等を地上の所定高さ位置に設置するにあたり、強風下においても十分な耐久性を発揮することのできる地中における支柱の埋設構造を提供すること、また太陽光発電装置用の支柱のみならず、その他各種の支柱類に適用される地中における支柱の埋設構造を提供することにある。
【課題を解決するための手段】
【０００７】
前記目的を達成するため、この発明の地中における支柱の埋設構造は、地中に支柱を埋設するための構造であって、
前記支柱下部に設置する筒状の埋設構造体には中間に複数のスリットを形成して該スリット間に帯片を形成し、かつ帯片の長さ方向のほぼ中央の片側ないし両側には切欠きが設けてあり、
前記筒状の支柱に上下方向の負荷がかかることにより、前記帯片が長さ方向のほぼ中央で外向きに屈曲し、この外向きに広がった複数の帯片が地中内において筒状の埋設構造体を保持し、固定するようにしたことを特徴とするものである。
【０００８】
この発明の地中における支柱の埋設構造において、前記筒状の埋設構造体は、前記帯片が外向きに広がった状態において、前記帯片の内部にコンクリートを充填するようにしたことをも特徴とするものである。
【０００９】
この発明の地中における支柱の埋設構造において、前記筒状の埋設構造体は、前記帯片の周囲を伸縮性のあるカバーで覆い、その上で前記帯片の内部にコンクリートを充填することにより、該コンクリートが前記帯片の外に漏れ出さないようにしたことをも特徴とするものである。
【００１０】
この発明の地中における支柱の埋設構造において、前記筒状の埋設構造体は、前記帯片の幅方向に中央において、前記帯片に設けた切欠きに対応する位置に小孔を設けたことをも特徴とするものである。
【００１１】
この発明の地中における支柱の埋設構造において、前記筒状の埋設構造体は、前記帯片の内部に打設したコンクリートを鉄筋を配設して補強したことをも特徴とするものである。
【発明の効果】
【００１２】
この発明によれば、支柱および筒状の埋設構造体がコンクリートを介して地中に埋設される構造であるから、支柱および埋設構造体の設置強度を高めることができるとともに、支柱の支持を安定した状態に保つことができる。
また、支柱と埋設構造体とを別体とすることにより、それぞれの大きさを一体型よりも小さくでき、搬送時や設置時の取り扱いに伴う作業負担を軽減することができる。
【００１３】
しかも、筒状の埋設構造体はスリットを介して形成した帯片を外向きに押し拡げ、その先端が埋設する箇所の縦孔の壁面に差し込まれるようにしてあるので、埋設構造体を縦孔に対して一体的に固定することができるようになり、非常に安定した地中における支柱の埋設構造を得ることができる。
【図面の簡単な説明】
【００１４】
【図１】この発明の地中における支柱の埋設構造の１実施例を示し、筒状の埋設構造体の正面図である。
【図２】筒状の埋設構造体の斜視図である。
【図３】筒状の埋設構造体を押し拡げた状態を示す概略正面図である。
【図４】筒状の埋設構造体を押し拡げた状態を示す概略平面図である。
【図５】筒状の埋設構造体を押し拡げた状態を示す概略斜視図である。
【図６】筒状の埋設構造体にカバーを取り付けた状態の概略正面図である。
【図７】カバーを取り付けた筒状の埋設構造体を押し拡げた状態を示す概略正面図である。
【図８】カバーを取り付けた筒状の埋設構造体を地中に差込んだ状態を示す概略断面図である。
【図９】カバーを取り付けた筒状の埋設構造体を地中において押し拡げた状態を示す概略断面図である。
【図１０】カバーを取り付けた筒状の埋設構造体を地中において押し拡げ、コンクリートを打設した状態を示す概略断面図である。
【発明を実施するための形態】
【００１５】
以下、この発明の地中における支柱の埋設構造の実施の形態について、図面を参照しながら詳細に説明する。
【００１６】
{ HYPERLINK "http://www8.ipdl.inpit.go.jp/Tokujitu/tjitemdrwkt.ipdl?N0000=235&N0001=22&N0005=G9liPFAJeTK3RMCyjnNl&N0500=4JPA%20423108854%20%20%20%20%20%20%20&N0510=dnfkqmlnTy4c70HNeVrd&N0552=9&N0553=000003" \t "tjitemdrwkt" ,図１}ないし図５において、１１はその上部に太陽電池パネル等の各種の機器（図示せず）を地上において支える支柱であり、１２は該支柱１１を地中において支える筒状の埋設構造体である。もちろん、該筒状の埋設構造体１２を上方に延長して支柱１１を一体的に形成することもできる。
前記支柱１１下部に設置する筒状の埋設構造体１２には中間に複数のスリット１３を形成して該スリット１３間に帯片１４を形成し、かつ帯片１４の長さ方向のほぼ中央の片側ないし両側には切欠き１５が設けてある。
したがって、前記支柱１１から筒状の埋設構造体１２に上下方向の負荷がかかることにより、図３ないし図５に示すように、前記帯片１４が長さ方向のほぼ中央で外向きに屈曲し、この外向きに広がった複数の帯片１４が地中内において筒状の埋設構造体１２を保持し、固定する。
【００１７】
ちなみに、前記筒状の埋設構造体１２は、前記帯片１４の幅方向の中央において、前記帯片１４に設けた切欠き１５に対応する位置に小孔１６が設けられている。
この小孔１６の存在により、筒状の埋設構造体１２に上下方向の負荷がかかって前記帯片１４が長さ方向のほぼ中央で外向きに屈曲する際、無理なく屈曲させることができるようになる。
【００１８】
なお、前記筒状の埋設構造体１２は、前記帯片１４が外向きに広がった状態において、前記帯片１４の内部に前記筒状の支柱１１からコンクリートを注入して充填することができる。
その際、図６および図７に示すように、前記筒状の埋設構造体１２の前記帯片１４の周囲を伸縮性のある布や網状の構造物からなるカバー２１で覆い、その上で前記帯片１４の内部にコンクリートを充填することにより、該コンクリートが前記帯片１４の外に漏れ出さないようにすることが望ましい。
【００１９】
また、前記筒状の埋設構造体１２は、前記帯片１４の内部に打設したコンクリートＣをあらかじめアンカーボルト２２および＼または鉄筋２３を取り付けて補強してある（図１０参照）。
したがって、前記帯片１４が外向きに広がった状態でコンクリートＣを打設し、しかもその内部にアンカーボルト２２および＼または鉄筋２３が取り付けてあるので、また前記支柱１１内にもアンカーボルト２２および＼または鉄筋２３を取り付けてコンクリートを打設することにより、前記支柱１１を非常に強固にかつ安定的に地面に立設することができる。
【００２０】
このように各部が構成された地中における支柱の埋設構造においては、次のように設置場所における設置作業が進行する。
ａ）図８に示すように、所定の径の縦孔３１を地盤に設けて該縦孔３１に前記埋設構造体１２をカバー２１を取り付けて収納する。その際前記カバー２１はその上下をベルト２１ａで係止しておくことが望ましい。
ｂ）次に、図９に示すように、前記埋設構造体１２の上部から大きな負荷をかけて、前記埋設構造体１２の下部に設けた帯片１４を押し拡げる。
【００２１】
この作業は、前記帯片１４に設けた切欠き１５、小孔１６の存在によって、比較的大きな力を要しないで行うことができる。
また、前記筒状の埋設構造体１２に設けた帯片１４は上下方向の負荷を受けて押し拡げられると同時に、屈曲した先端を前記縦孔３１の壁面に向かって押し込まれる。それゆえ、前記埋設構造体１２を縦孔３１に対して一体的に固定することができるようになり、非常に安定した地中における支柱の埋設構造を得ることができる。
【００２２】
ｃ）そして、図１０に示すように、前記埋設構造体１２内にアンカーボルト２２および＼または鉄筋２３を取り付けた上で、前記筒状の支柱１１の上部からコンクリートＣを流し込み、前記筒状の埋設構造体１２、および押し拡げられた帯片１４の内側にもコンクリートＣを充填する。
その際、前記埋設構造体１２は底部が地盤等で閉じた構造であり、また前記帯片１４の周囲もカバー２１によって覆われているので、前記埋設構造体１２の内部にコンクリートＣが確実に充填される。
【００２３】
ｄ）最後に、太陽電池パネル等の各種の機器の支柱１１は、その下端に設けたフランジ等を前記埋設構造体１２の上端に設けたフランジ等に、ボルトナット等を用いて連結、固定する。なお、前記埋設構造体１２の上方に支柱１１を延長して一体化してもよいことは上述の通りである。
もちろん、この発明は上記開示のごとくに構成されているが、この発明は上記実施例に限定されるものではない。
【産業上の利用可能性】
【００２４】
この発明は以上のように構成されているが、この発明の技術的思想及び目的の範囲から逸脱することなく、以上に述べた実施の形態に対し、形状、材料、数量、その他の詳細な構成において、当業者が様々な変形を加えることができることはいうまでもない。
【００２５】
さらに、上記説明においては太陽電池パネルの設置について述べているが、その他各種機器の、重量物の支持を必要とする場面において適宜利用することができることはいうまでもない。
【符号の説明】
【００２６】
１１  支柱
１２  筒状の埋設構造体
１３  スリット
１４  帯片
１５  切欠き
１６  小孔
２１  カバー
２１ａ  ベルト
２２  アンカーボルト
２３  鉄筋
３１  縦孔
Ｃ  コンクリート
【図１】
2015040410.tif 000003
【図２】
2015040410.tif 000004
【図３】
2015040410.tif 000005
【図４】
2015040410.tif 000006
【図５】
2015040410.tif 000007
【図６】
2015040410.tif 000008
【図７】
2015040410.tif 000009
【図８】
2015040410.tif 000010
【図９】
2015040410.tif 000011
【図１０】
2015040410.tif 000012